(57)【要約】【課題】被介護者を良好に乗載することができ、介護者の負担を軽減することができる介護用移動装置を提供する。【解決手段】被介護者Ｈを乗載するための乗載面１３３を、上下方向に昇降可能、かつ、上下方向に対して交差する所定のスライド方向にスライド可能に保持する。臥位乗載位置Ｐ１と、当該臥位乗載位置Ｐ１よりも低い座位乗載位置Ｐ２との間で乗載面１３３を昇降可能とする。臥位乗載位置Ｐ１において乗載面１３３に被介護者Ｈを臥位で乗載した状態で、臥位乗載位置Ｐ１から座位乗載位置Ｐ２へと乗載面１３３を降下させるのに伴って、被介護者Ｈが臥位から座位へと移行する。【選択図】  図４Ａ
2014217550.tif 000002
【特許請求の範囲】
【請求項１】
被介護者を移動させるための介護用移動装置であって、
被介護者を乗載するための乗載面と、
前記乗載面を上下方向に昇降可能、かつ、上下方向に対して交差する所定のスライド方向にスライド可能に保持する本体と、
前記本体を移動させる際に転動可能な複数のキャスターとを備え、
前記乗載面は、臥位乗載位置と、当該臥位乗載位置よりも低い座位乗載位置との間で昇降可能であり、臥位乗載位置において前記乗載面に被介護者を臥位で乗載した状態で、臥位乗載位置から座位乗載位置へと前記乗載面を降下させるのに伴って、被介護者が臥位から座位へと移行することを特徴とする介護用移動装置。
【請求項２】
複数の前記介護用移動装置を連結することができる連結機構をさらに備え、
前記連結機構により複数の前記介護用移動装置が連結された状態では、臥位乗載位置にある複数の前記乗載面に被介護者を臥位で乗載することができることを特徴とする請求項１に記載の介護用移動装置。
【請求項３】
前記乗載面は、被介護者を乗載する際に駆動されるコンベヤにより構成されており、
前記乗載面が前記スライド方向にスライドされた状態で、前記コンベヤを駆動することにより、前記乗載面上において被介護者を水平方向に移動させることができるとともに、
前記乗載面が座位乗載位置にあるときに、前記コンベヤが座板部として機能することを特徴とする請求項１又は２に記載の介護用移動装置。
【請求項４】
前記乗載面が臥位乗載位置から座位乗載位置へと降下したときに、前記本体の一部が背板部として機能することを特徴とする請求項１〜３のいずれかに記載の介護用移動装置。
【請求項５】
前記背板部は、前記乗載面を挟んで対向する位置に少なくとも１対設けられており、それぞれ着脱可能又は変位可能であることを特徴とする請求項４に記載の介護用移動装置。
【請求項６】
複数の前記介護用移動装置を電気的に接続することができる電気接続機構をさらに備えたことを特徴とする請求項１〜５のいずれかに記載の介護用移動装置。
【発明の詳細な説明】
【技術分野】
【０００１】
本発明は、被介護者を移動させるための介護用移動装置に関するものである。
【背景技術】
【０００２】
例えば被介護者をベッドから移動させる際には、介護者が被介護者を抱きかかえて、ストレッチャーや車椅子などに移動させる作業が必要となる場合がある。このような作業は、介護者にとって肉体的な負担が非常に大きいため、その負担を軽減するための種々の装置が提案されている（例えば、下記特許文献１及び２参照）。
【０００３】
特許文献１には、ベッド２０に設けられた移乗支援板１０上に被介護者４０を乗載した状態で、移乗支援板１０をスライドさせることにより、ベッド２０と車椅子３３との間で被介護者を移動させることができるような移乗支援機構が開示されている（段落［００４８］〜［００５０］及び図４参照）。車椅子３０には、シート３３の高さを調整する高さ調整機構が備えられており、シート３３の高さをベッド２０の高さに合わせた状態で、被介護者を移動させることができる（段落［００４５］参照）。
【０００４】
一方、特許文献２には、背もたれ５が後方に傾倒可能に構成されるとともに、移動座席２１が水平方向にスライド可能に構成された車椅子本体１が開示されている。このような車椅子本体１を使用することにより、背もたれ５を傾倒させて水平に保持した状態で、ベッドＢから移動座席２１の上面に被介護者Ｈを臥位で乗載した後、移動座席２１を車椅子本体１側にスライドさせ、その後に背もたれ５を起立させることにより、車椅子本体１上で被介護者Ｈを座位へと移行することができる（段落［００３５］〜［００３７］及び図２参照）。
【先行技術文献】
【特許文献】
【０００５】
【特許文献１】特許第４４１５１４９号公報
【特許文献２】特許第４５５２０４１号公報
【発明の概要】
【発明が解決しようとする課題】
【０００６】
上記特許文献１に開示されているような移乗支援機構では、ベッド２０に移乗支援板１０を設けるとともに、車椅子３０に高さ調整機構を設ける必要がある。このように、ベッド２０及び車椅子３０の両方に変更を加える必要があるため、導入コストがかかるという問題がある。
【０００７】
また、被介護者をベッド２０から他のベッド２０に移動させる際には、それぞれのベッド２０に移乗支援板１０が必要となるため、ベッド２０の数が多い病院や介護施設などにおいては、さらに導入コストがかかるという問題がある。上記特許文献１には、ベッド２０と分離され、単独で移乗用具として使用可能な移乗支援板６０，８０についても開示されているが（図９〜図１１参照）、このような移乗支援板６０，８０をわざわざ持ち運ぶのは面倒であり、介護者の負担にもなる。
【０００８】
次に、上記特許文献２に開示されているような車椅子本体１では、移動座席２１を昇降させる機能がないため、移動座席２１の高さがベッドＢの高さと一致しなければ、被介護者Ｈを移動座席２１の上面に良好に乗載することができないという問題がある。
【０００９】
また、背もたれ５が後方に傾倒可能に構成されているが、車椅子本体１に被介護者Ｈを臥位で乗載した後、背もたれ５を起立させて座位へと移行する際には、被介護者Ｈの重量に抗して背もたれ５を起立させなければならない。そのため、被介護者Ｈを臥位から座位へと移行させる際に、介護者の負担になるという問題がある。
【００１０】
一方で、上記のような介護者の負担を軽減する上でも、使い勝手のよい介護用移動装置が望まれている。
【００１１】
本発明は、上記実情に鑑みてなされたものであり、被介護者を良好に乗載することができ、介護者の負担を軽減することができる介護用移動装置を提供することを目的とする。また、本発明は、導入コストを低減することができる介護用移動装置を提供することを目的とする。さらに、本発明は、使い勝手のよい介護用移動装置を提供することを目的とする。
【課題を解決するための手段】
【００１２】
本発明に係る介護用移動装置は、被介護者を移動させるための介護用移動装置であって、被介護者を乗載するための乗載面と、前記乗載面を上下方向に昇降可能、かつ、上下方向に対して交差する所定のスライド方向にスライド可能に保持する本体と、前記本体を移動させる際に転動可能な複数のキャスターとを備え、前記乗載面は、臥位乗載位置と、当該臥位乗載位置よりも低い座位乗載位置との間で昇降可能であり、臥位乗載位置において前記乗載面に被介護者を臥位で乗載した状態で、臥位乗載位置から座位乗載位置へと前記乗載面を降下させるのに伴って、被介護者が臥位から座位へと移行することを特徴とする。
【００１３】
このような構成によれば、乗載面をスライド方向にスライドさせ、ベッド上の被介護者を乗載面上に臥位で良好に乗載することができる。そして、被介護者を乗載面に臥位で乗載した状態で、臥位乗載位置から座位乗載位置へと乗載面を降下させるのに伴って、被介護者を臥位から座位へと容易に移行させることができるため、介護者の負担を軽減することができる。
【００１４】
また、本発明の介護用移動装置を使用すれば、通常のベッドに寝ている被介護者を臥位のまま乗載することができる。すなわち、ベッドに変更を加える必要がないため、導入コストを低減することができる。
【００１５】
さらに、複数のキャスターを転動させて本体を移動させることができるため、乗載した被介護者を容易に移動させることができ、使い勝手がよい。特に、被介護者を臥位から座位へと容易に移行させて、車椅子と同様の態様にて介護者を移動させることができるため、被介護者をトイレに連れて行く際などにも非常に使い勝手がよい。
【００１６】
前記介護用移動装置は、複数の前記介護用移動装置を連結することができる連結機構をさらに備えていてもよい。この場合、前記連結機構により複数の前記介護用移動装置が連結された状態では、臥位乗載位置にある複数の前記乗載面に被介護者を臥位で乗載することができてもよい。
【００１７】
このような構成によれば、複数の介護用移動装置を連結することにより、臥位乗載位置にある複数の乗載面に、被介護者を臥位で安定して乗載することができるため、使い勝手がよい。また、被介護者を臥位で乗載した後は、被介護者の腰部分を乗載している介護用移動装置の乗載面を座位乗載位置へと降下させることにより、被介護者を臥位から座位へと容易に移行させることができるため、介護者の負担を軽減することができる。
【００１８】
被介護者の腰部分を乗載している介護用移動装置よりも足側に、別の介護用移動装置（足側移動装置）が連結されている場合には、被介護者を臥位で乗載した後、当該足側移動装置を取り外してから被介護者を臥位から座位へと移行させることにより、被介護者の膝を曲げた状態にすることができる。
【００１９】
被介護者の腰部分を乗載している介護用移動装置よりも頭側に、別の介護用移動装置（頭側移動装置）が連結されている場合には、被介護者を臥位から座位へと移行させた後、当該頭側移動装置を取り外してから本体を移動させてもよいし、当該頭側移動装置を取り外さずに連結状態のまま本体を移動させてもよい。すなわち、トイレなどの比較的狭い空間に移動させる際には、頭側移動装置を取り外した方が、スペースをとらず好ましいが、他のベッドに被介護者を移動させる際などには、頭側移動装置を連結状態のまま移動させた方が、その後の作業がスムーズとなり好ましい。このように、必要に応じて複数の介護用移動装置を連結し、又は取り外すことができるため、使い勝手がよい。
【００２０】
前記乗載面は、被介護者を乗載する際に駆動されるコンベヤにより構成されていてもよい。この場合、前記乗載面が前記スライド方向にスライドされた状態で、前記コンベヤを駆動することにより、前記乗載面上において被介護者を水平方向に移動させることができるとともに、前記乗載面が座位乗載位置にあるときに、前記コンベヤが座板部として機能するようになっていてもよい。
【００２１】
このような構成によれば、乗載面がスライド方向にスライドされた状態で、コンベヤを駆動することにより、乗載面上において被介護者を水平方向に移動させ、容易に乗載することができるため、介護者の負担を軽減することができる。乗載面が臥位乗載位置から座位乗載位置に降下した後は、コンベヤがそのまま座板部として機能するため、使い勝手がよい。また、座位乗載位置においてもコンベヤを駆動することができるような構成とすれば、被介護者をトイレの便座上に移動させる際などにも使い勝手がよい。
【００２２】
前記乗載面が臥位乗載位置から座位乗載位置へと降下したときに、前記本体の一部が背板部として機能するようになっていてもよい。
【００２３】
このような構成によれば、乗載面を臥位乗載位置から座位乗載位置へと降下させるのに伴って、本体の一部が背板部として機能し、被介護者の背中を良好に受けることができる。したがって、背板部を別途設ける必要がないため、装置の構成を簡略化し、導入コストを低減することができる。
【００２４】
前記背板部は、前記乗載面を挟んで対向する位置に少なくとも１対設けられており、それぞれ着脱可能又は変位可能であってもよい。
【００２５】
このような構成によれば、１対の背板部の一方を取り外し、又は変位させることにより、被介護者を臥位から座位へと良好に移行させることができる。すなわち、被介護者を臥位で乗載する際の方向に応じて、被介護者の足側の背板部を取り外し、又は変位させることにより、座位において当該背板部に被介護者の足が引っ掛かるのを防止することができるとともに、他方の背板部により被介護者の背中を良好に受けることができる。このように、被介護者を臥位で乗載する際の方向が一方向に限られないため、使い勝手がよい。
【００２６】
前記介護用移動装置は、複数の前記介護用移動装置を電気的に接続することができる電気接続機構をさらに備えていてもよい。
【００２７】
このような構成によれば、複数の介護用移動装置を電気的に接続し、電力を共有することができるため、さらに使い勝手がよい。この場合、例えば各介護用移動装置に差込プラグ及び差込口が備えられた構成であれば、いずれか１つの介護用移動装置の差込プラグを外部の電力源に接続し、残りの介護用移動機構の差込プラグを他の介護用移動装置の差込口に接続することにより、容易に電力を共有することができる。
【発明の効果】
【００２８】
本発明によれば、乗載面をスライド方向にスライドさせ、ベッド上の被介護者を乗載面上に臥位で良好に乗載することができるとともに、臥位乗載位置から座位乗載位置へと乗載面を降下させるのに伴って、被介護者を臥位から座位へと容易に移行させることができるため、介護者の負担を軽減することができる。また、本発明によれば、ベッドに変更を加える必要がないため、導入コストを低減することができる。さらに、本発明によれば、乗載した被介護者を容易に移動させることができ、使い勝手がよい。
【図面の簡単な説明】
【００２９】
【図１】本発明の一実施形態に係る介護用移動装置の構成例を示す概略断面図である。
【図２】介護用移動装置の使用態様を示す概略平面図である。
【図３】図２における介護用移動装置のＡ−Ａ概略断面図である。
【図４Ａ】被介護者を臥位から座位へと移行する際の態様について説明するための介護用移動装置の概略断面図である。
【図４Ｂ】被介護者を臥位から座位へと移行する際の態様について説明するための介護用移動装置の概略断面図である。
【図５】介護用移動装置の電気的構成について説明するための概略側面図である。
【発明を実施するための形態】
【００３０】
図１は、本発明の一実施形態に係る介護用移動装置１の構成例を示す概略断面図である。本実施形態では、複数の介護用移動装置１を一列に連結することで、例えばベッドなどで寝ている被介護者Ｈを臥位のまま乗載することができるストレッチャーが構成されるようになっている。この例では、３つの介護用移動装置１が所定の連結方向Ｄ１に一列で連結されている。
【００３１】
各介護用移動装置１には、本体１１と、本体１１を移動させる際に転動可能な複数のキャスター１２とが備えられている。本体１１には、被介護者Ｈを乗載する際に駆動されるコンベヤ１３が設けられている。コンベヤ１３は、無端ベルト１３１が複数のローラ１３２に掛け回されることにより構成されたベルトコンベヤであり、無端ベルト１３１の上面が、被介護者Ｈを乗載するための乗載面１３３を構成している。
【００３２】
各ローラ１３２は、複数の介護用移動装置１の連結方向Ｄ１に沿って延びている。したがって、各ローラ１３２を回転させることにより、連結方向Ｄ１に対して直交する方向に無端ベルト１３１を回転させることができる。ローラ１３２は、モータなどの駆動機構（図示せず）により回転駆動される。複数の介護用移動装置１が連結された状態では、いずれか１つの介護用移動装置１のコンベヤ１３を駆動させることにより、他の介護用移動装置１のコンベヤ１３も同方向に同速度で連動することが好ましい。
【００３３】
各介護用移動装置１におけるコンベヤ１３は、保持部材１４によりローラ１３２が回転可能に保持されている。保持部材１４は、本体１１に対して昇降機構１５により昇降可能に保持されている。また、保持部材１４は、本体１１に対して連結方向Ｄ１に直交する水平方向にスライド可能に保持されている。これにより、乗載面１３３が、上下方向に昇降可能、かつ、水平方向にスライド可能に保持されている。
【００３４】
図２は、介護用移動装置１の使用態様を示す概略平面図である。また、図３は、図２における介護用移動装置１のＡ−Ａ概略断面図である。図２及び図３では、３つの介護用移動装置１を連結方向Ｄ１に沿って連結した状態で、ベッドＢで寝ている被介護者Ｈを臥位のまま乗載面１３３に乗載する場合の使用態様について説明する。
【００３５】
各介護用移動装置１は、連結機構１６により互いに連結することができる。この連結機構１６は、例えば折り畳み式の連結具などを用いることにより、各介護用移動装置１を連結しないときには本体１１内に収容可能な構成となっていることが好ましい。各介護用移動装置１における連結方向Ｄ１に沿った乗載面１３３の幅は、３つの介護用移動装置１を連結したときに、連結方向Ｄ１に並ぶ３つの乗載面１３３で被介護者Ｈを乗載するのに十分な幅に設定されている。
【００３６】
被介護者Ｈを乗載面１３３に乗載する際には、まず、図２及び図３に示すように、連結方向Ｄ１に直交する水平なスライド方向Ｄ２に沿って、各介護用移動装置１のコンベヤ１３を同じ高さでスライドさせる。このとき、乗載面１３３の高さがベッドＢの高さに対応していない場合には、昇降機構１５の駆動により乗載面１３３の高さを調整した後、コンベヤ１３をスライド方向Ｄ２に沿ってスライドさせてもよい。
【００３７】
これにより、図３に示すように、コンベヤ１３をベッドＢの上面に沿わせた状態で、ベッドＢ上にスライドさせることができる。そして、図３に示すように、被介護者Ｈの体を片側に傾斜させ、被介護者Ｈの背中とベッドＢの上面との間にコンベヤ１３の端部を挿入することができる。
【００３８】
コンベヤ１３をスライド方向Ｄ２に沿ってスライドさせる際には、１つの介護用移動装置１のコンベヤ１３をスライドさせることにより、他の介護用移動装置１のコンベヤ１３も同時に移動するように連結されていることが好ましい。ただし、スライド方向Ｄ２は、水平方向に限らず、上下方向に対して交差する他の方向であってもよい。
【００３９】
本実施形態では、被介護者Ｈ側のローラ１３２が、本体１１側のローラ１３２よりも小径となるように構成されている。そのため、これらのローラ１３２に掛け回された無端ベルト１３１は、被介護者Ｈ側に向かって徐々に先細りした形状となっている。これにより、被介護者Ｈの背中とベッドＢの上面との間にコンベヤ１３の端部をスムーズに挿入することができる。
【００４０】
コンベヤ１３は、本体１１側の端部を中心に揺動可能となっていてもよい。この場合、ばねなどの付勢部材により、図３に矢印Ｄ３で示す方向にコンベヤ１３が付勢されることが好ましい。これにより、コンベヤ１３に外力が作用していないときには、無端ベルト１３１の上面により構成される乗載面１３３が水平となるように付勢することができる。また、コンベヤ１３を付勢力に抗して矢印Ｄ３とは反対方向に少し回転させれば、被介護者Ｈの背中とベッドＢの上面との間にコンベヤ１３の端部を挿入しやすくなる。
【００４１】
被介護者Ｈの背中とベッドＢの上面との間にコンベヤ１３の端部を挿入した後は、コンベヤ１３を駆動することにより無端ベルト１３１を回転させ、被介護者Ｈを乗載面１３３上の適切な位置へと移動させる。その後、各介護用移動装置１のコンベヤ１３をスライドさせて、本体１１上に移動させることにより、図２及び図３に破線で示すように、臥位乗載位置Ｐ１にある３つの乗載面１３３に被介護者Ｈを臥位で乗載することができる。
【００４２】
なお、乗載面１３３の高さをベッドＢの高さに対応させることにより、乗載面１３３の高さが臥位乗載位置Ｐ１とは異なる高さになっているときには、昇降機構１５の駆動により乗載面１３３の高さを臥位乗載位置Ｐ１に対応させた後、各介護用移動装置１のコンベヤ１３をスライドさせて、本体１１上に移動させてもよい。すなわち、コンベヤ１３は、被介護者Ｈ側にスライドされている状態でも、上下方向に昇降可能となっていることが好ましい。
【００４３】
このように、乗載面１３３に被介護者Ｈを臥位で乗載した状態で、各介護用移動装置１のキャスター１２を床面上で転動させれば、被介護者Ｈを臥位のまま移動させることができる。さらに、本実施形態では、被介護者Ｈを臥位から座位へと移行し、座位で移動させることもできるようになっている。
【００４４】
図４Ａ及び図４Ｂは、被介護者Ｈを臥位から座位へと移行する際の態様について説明するための介護用移動装置１の概略断面図である。昇降機構１５の駆動により、乗載面１３３は、臥位乗載位置Ｐ１と、臥位乗載位置Ｐ１よりも低い座位乗載位置Ｐ２との間で昇降可能である。
【００４５】
本実施形態では、臥位乗載位置Ｐ１から座位乗載位置Ｐ２へと乗載面１３３を降下させるのに伴って、被介護者Ｈが臥位から座位へと移行するようになっている。図４Ａの例と、図４Ｂの例とでは、被介護者Ｈを乗載面１３３に乗載したときの向きが反対であるが、いずれの場合においても、被介護者Ｈを臥位から座位へと移行させることができる。
【００４６】
具体的には、本体１１の一部が背板部１１１として機能することにより、乗載面１３３が臥位乗載位置Ｐ１から座位乗載位置Ｐ２へと降下したときに、被介護者Ｈの背中を背板部１１１で良好に受けることができるようになっている。したがって、背板部を別途設ける必要がないため、装置の構成を簡略化し、導入コストを低減することができる。このように、乗載面１３３が座位乗載位置Ｐ２にあるときには、コンベヤ１３が座板部として機能することにより、当該コンベヤ１３上に被介護者Ｈが座った状態となる。
【００４７】
この例では、図４Ａ及び図４Ｂに示すように、乗載面１３３を連結方向Ｄ１に挟んで対向する位置に、背板部１１１が１対設けられており、それぞれ本体１１に対して着脱可能となっている。ただし、背板部１１１は、本体１１に対して着脱可能な構成に限らず、例えばコンベヤ１３の下方などに変位可能となっていてもよい。背板部１１１は、被介護者Ｈの背中を受ける際の緩衝材として、クッション材を含むような構成であることが好ましい。
【００４８】
本実施形態では、図２及び図３に示すように、乗載面１３３をスライド方向Ｄ２にスライドさせ、ベッドＢ上の被介護者Ｈを乗載面１３３上に臥位で良好に乗載することができる。そして、被介護者Ｈを乗載面１３３に臥位で乗載した状態で、図４Ａ又は図４Ｂに示すように、臥位乗載位置Ｐ１から座位乗載位置Ｐ２へと乗載面１３３を降下させるのに伴って、被介護者Ｈを臥位から座位へと容易に移行させることができるため、介護者の負担を軽減することができる。
【００４９】
また、本実施形態の介護用移動装置１を使用すれば、通常のベッドＢに寝ている被介護者Ｈを臥位のまま乗載することができる。すなわち、ベッドＢに変更を加える必要がないため、導入コストを低減することができる。
【００５０】
さらに、複数のキャスター１２を転動させて本体１１を移動させることができるため、乗載した被介護者Ｈを容易に移動させることができ、使い勝手がよい。特に、被介護者Ｈを臥位から座位へと容易に移行させて、車椅子と同様の態様にて介護者を移動させることができるため、被介護者Ｈをトイレに連れて行く際などにも非常に使い勝手がよい。
【００５１】
特に、本実施形態では、図２及び図３に示すように、乗載面１３３がスライド方向Ｄ２にスライドされた状態で、コンベヤ１３を駆動することにより、乗載面１３３上において被介護者Ｈを水平方向に移動させ、容易に乗載することができるため、介護者の負担を軽減することができる。図４Ａ及び図４Ｂに示すように、乗載面１３３が臥位乗載位置Ｐ１から座位乗載位置Ｐ２に降下した後は、コンベヤ１３がそのまま座板部として機能するため、使い勝手がよい。また、図４Ａ及び図４Ｂに示すような座位乗載位置Ｐ２においてもコンベヤ１３を駆動することができるような構成とすれば、被介護者Ｈをトイレの便座上に移動させる際などにも使い勝手がよい。
【００５２】
また、本実施形態では、複数の介護用移動装置１を連結することにより、臥位乗載位置Ｐ１にある複数の乗載面１３３に、被介護者Ｈを臥位で安定して乗載することができるため、使い勝手がよい。また、被介護者Ｈを臥位で乗載した後は、被介護者Ｈの腰部分を乗載している介護用移動装置１の乗載面１３３を座位乗載位置Ｐ２へと降下させることにより、被介護者Ｈを臥位から座位へと容易に移行させることができるため、介護者の負担を軽減することができる。
【００５３】
図４Ａ及び図４Ｂに示すように、被介護者Ｈの腰部分を乗載している介護用移動装置１よりも足側に、別の介護用移動装置１（足側移動装置１Ａ）が連結されている場合には、被介護者Ｈを臥位で乗載した後、当該足側移動装置１Ａを取り外してから被介護者Ｈを臥位から座位へと移行させることにより、被介護者Ｈの膝を曲げた状態にすることができる。図４Ａの例と、図４Ｂの例とでは、被介護者Ｈの向きが反対であるが、いずれの場合であっても、被介護者Ｈの足側に連結されている足側移動装置１Ａを取り外すことにより、臥位から座位へと移行される被介護者Ｈの膝を折り曲げた状態にすることができる。
【００５４】
このとき、被介護者Ｈの腰部分を乗載している介護用移動装置１（図４Ａ及び図４Ｂの例では中央の介護用移動装置１）の１対の背板部１１１の一方を取り外すことにより、被介護者Ｈを臥位から座位へと良好に移行させることができる。すなわち、被介護者Ｈを臥位で乗載する際の方向に応じて、図４Ａ及び図４Ｂにおいてそれぞれ破線で示す被介護者Ｈの足側の背板部１１１を取り外すことにより、座位において当該背板部１１１に被介護者Ｈの足が引っ掛かるのを防止することができるとともに、他方の背板部１１１により被介護者Ｈの背中を良好に受けることができる。このように、被介護者Ｈを臥位で乗載する際の方向が一方向に限られないため、使い勝手がよい。このような効果は、背板部１１１が本体１１に対して着脱可能な構成ではなく、コンベヤ１３の下方などに変位可能な構成であっても同様に奏することができる。
【００５５】
被介護者Ｈの腰部分を乗載している介護用移動装置１よりも頭側に、別の介護用移動装置１（頭側移動装置１Ｂ）が連結されている場合には、被介護者Ｈを臥位から座位へと移行させた後、当該頭側移動装置１Ｂを取り外してから本体１１を移動させてもよいし、図４Ａ及び図４Ｂのように、当該頭側移動装置１Ｂを取り外さずに連結状態のまま本体１１を移動させてもよい。すなわち、トイレなどの比較的狭い空間に移動させる際には、頭側移動装置１Ｂを取り外した方が、スペースをとらず好ましいが、他のベッドに被介護者Ｈを移動させる際などには、頭側移動装置１Ｂを連結状態のまま移動させた方が、その後の作業がスムーズとなり好ましい。このように、必要に応じて複数の介護用移動装置１を連結し、又は取り外すことができるため、使い勝手がよい。
【００５６】
図５は、介護用移動装置１の電気的構成について説明するための概略側面図である。図５に示すように、各介護用移動装置１の本体１１の側面には、昇降操作部１７、スライド操作部１８及びコンベヤ操作部１９などが設けられている。これらの各操作部１７〜１９を操作することにより、モータなどを含む駆動機構２０を駆動させ、各介護用移動装置１を動作させることができる。
【００５７】
昇降操作部１７は、昇降機構１５を動作させて、コンベヤ１３を上下方向に昇降させるために操作される。スライド操作部１８は、コンベヤ１３をスライド方向Ｄ２にスライドさせるために操作される。コンベヤ操作部１９は、無端ベルト１３１を回転させるために操作される。複数の介護用移動装置１が連結された状態では、いずれか１つの介護用移動装置１の操作部１７〜１９を操作するのに連動して、他の介護用移動装置１も同様の動作を行うようになっていることが好ましい。ただし、上記操作部１７〜１９の少なくとも１つを省略し、その操作部に対応する動作を介護者が手動で行うような構成となっていてもよい。
【００５８】
また、各介護用移動装置１の本体１１には、差込プラグ２１及び差込口２２が設けられている。差込プラグ２１は、本体１１から延びる配線コード２１１の先端部に取り付けられており、当該差込プラグ２１を介して各介護用移動装置１に電力を供給することができる。
【００５９】
上記のような差込プラグ２１及び差込口２２は、複数の介護用移動装置１を電気的に接続することができる電気接続機構を構成している。すなわち、いずれか１つの介護用移動装置１の差込プラグ２１を外部の電力源に接続し、残りの介護用移動装置１の差込プラグ２１を他の介護用移動装置１の差込口２２に接続することにより、複数の介護用移動装置１を電気的に接続し、容易に電力を共有することができるため、さらに使い勝手がよい。
【００６０】
以上の実施形態では、３つの介護用移動装置１を連結する場合について説明した。しかし、連結する介護用移動装置１の数は、２つであってもよいし、４つ以上であってもよい。また、本実施形態の介護用移動装置１は、他の介護用移動装置１と連結せずに、単体で使用することも可能である。
【符号の説明】
【００６１】
１    介護用移動装置
１Ａ    足側移動装置
１Ｂ    頭側移動装置
１１    本体
１２    キャスター
１３    コンベヤ
１４    保持部材
１５    昇降機構
１６    連結機構
１７    昇降操作部
１８    スライド操作部
１９    コンベヤ操作部
２０    駆動機構
２１    差込プラグ
２２    差込口
１１１    背板部
１３１    無端ベルト
１３２    ローラ
１３３    乗載面
２１１    配線コード
Ｐ１    臥位乗載位置
Ｐ２    座位乗載位置
【図１】
2014217550.tif 000003
【図２】
2014217550.tif 000004
【図３】
2014217550.tif 000005
【図４Ａ】
2014217550.tif 000006
【図４Ｂ】
2014217550.tif 000007
【図５】
2014217550.tif 000008